(57)【要約】マルチスタンダード通信システムにおけるＲＦリソース管理方法であって、ダウンリンク情報内にシステムタイプ識別要素を加え、異なる無線通信方式間でＲＦリソースを割り当て、ＲＦリソースが割り当てられた異なる無線通信方式を、上記システムタイプ識別要素の異なる値に対して対応させることを含む方法。
2006512827.tif 000002
【特許請求の範囲】
【請求項１】
マルチスタンダード通信システムにおけるＲＦリソース管理方法であって、
ダウンリンク情報内にシステムタイプ識別要素を加え、
異なる無線通信方式に対してＲＦリソースを割り当て、
前記ＲＦリソースが割り当てられた前記異なる無線通信方式を、前記システムタイプ識別要素の異なる値に対して対応させる、ことを含む方法。
【請求項２】
異なる無線通信方式に対して同じ周波数帯域内でＲＦリソースを割り当て、
同じ周波数帯域内で前記ＲＦリソースが割り当てられた前記異なる無線通信方式を、前記システムタイプ識別要素の前記異なる値に対して対応させる、ことを更に含む請求項１に記載の方法。
【請求項３】
前記システムタイプ識別要素は、前記異なる無線通信方式を識別するための一組のビットである、請求項１または請求項２に記載の方法。
【請求項４】
前記ダウンリンクが放送チャンネルを含んでいる、請求項１から請求項３のいずれか一項に記載の方法。
【請求項５】
前記無線通信方式は、ＩＳ−９５、ＣＤＭＡ、ＧＳＭ、ＴＳＭ、ＧＰＲＳ、ＴＤ−ＳＣＤＭＡ、Ｗ−ＣＤＭＡ、ＣＤＭＡ２０００およびＷＬＡＮのうちの少なくとも２つを含んでいる、請求項１に記載の方法。
【請求項６】
携帯端末が無線通信システムにアクセスする方法であって、
ダウンリンクを介して送信されるダウンリンク情報を受け取り、
前記ダウンリンク情報内のシステムタイプ識別要素の値を取得し、
前記ダウンリンク情報内に含まれるシステムタイプ識別要素の前記値および前記携帯端末の構造にしたがって、前記システムタイプ識別要素の前記値に対応する無線通信システムに前記携帯端末が適応しているかどうかを判断し、
前記システムタイプ識別要素の前記値に対応する無線通信システムに前記携帯端末が適応している場合には、その無線通信方式を有する無線通信システムにアクセスする、ことを含む方法。
【請求項７】
前記携帯端末の状態が電源ＯＮの場合、前記システムタイプ識別要素の前記値は、現在のセルの前記システムタイプ識別要素の値であり、前記無線通信方式は、現在のセルによって採用される無線通信方式である、請求項６に記載の方法。
【請求項８】
前記携帯端末の状態がセルハンドオーバーの場合、前記システムタイプ識別要素の前記値は、隣接するセルのシステムタイプ識別要素の値であり、前記無線通信方式は、前記隣接するセルによって採用される無線通信方式である、請求項６に記載の方法。
【請求項９】
前記隣接するセルの前記システムタイプ識別要素の値に対応する無線通信方式に対して前記携帯端末がアクセスできない場合には、セルハンドオーバーが実行されない、請求項８に記載の方法。
【請求項１０】
前記ダウンリンクは、ブロードキャストチャンネルを含んでいる、請求項６から請求項９のいずれか一項に記載の方法。
【請求項１１】
携帯電話が無線通信システムにアクセスするための装置であって、
ダウンリンクを介して送信されるダウンリンク情報を受信する受信手段と、
前記ダウンリンク情報内の前記システムタイプ識別要素の値を取得する検出手段と、
前記ダウンリンク情報内に含まれる前記システムタイプ識別要素の前記値と前記携帯端末の構造とにしたがって前システムタイプ識別要素の前記値に対応する無線通信方式に携帯端末が適応しているかどうかを判断する判断手段と、
前記システムタイプ識別要素の前記値に対応する無線通信方式に前記携帯端末が適応している場合には、その無線通信方式を有する無線通信システムにアクセスするアクセス手段と、を備える装置。
【請求項１２】
前記携帯端末の状態が電源ＯＮの場合、前記システムタイプ識別要素の前記値は、現在のセルの前記システムタイプ識別要素の値であり、前記無線通信方式は、現在のセルによって採用される無線通信方式である、請求項１１に記載の装置。
【請求項１３】
前記携帯端末の状態がセルハンドオーバーの場合、前記システムタイプ識別要素の前記値は、隣接するセルの前記システムタイプ識別要素の値であり、前記無線通信方式は、前記隣接するセルによって採用される無線通信方式である、請求項１１に記載の装置。
【請求項１４】
前記隣接するセルの前記システムタイプ識別要素の値に対応する無線通信方式に対して前記携帯端末がアクセスできない場合には、セルハンドオーバーが実行されない、請求項１３に記載の装置。
【請求項１５】
前記ダウンリンクがブロードキャストチャンネルを含んでいる、請求項１１から請求項１４のいずれか一項に記載の装置。
【請求項１６】
アップリンクを介して無線信号を送信する送信手段と、
ダウンリンクを介して送信される無線信号を受信する受信手段と、
無線通信システムにアクセスするためのアクセス手段とを備えた携帯端末であって、
前記アクセス手段は、前記ダウンリンクの無線信号から前記受信手段によって受信され取得された前記システムタイプ識別要素の値と前記携帯端末の構造とにしたがって前記システムタイプ識別要素の前記値に対応する無線通信方式に前記携帯端末が適応しているかどうかを判断することができるとともに、システムタイプ識別要素の前記値に対応する前記無線通信方式に前記携帯端末が適応している場合には、その無線通信方式を有する無線通信システムに対して前記携帯端末をアクセスさせることができる、携帯端末。
【請求項１７】
前記携帯端末の状態が電源ＯＮの場合、前記システムタイプ識別要素の前記値は、現在のセルの前記システムタイプ識別要素の値であり、前記無線通信方式は、現在のセルによって採用される無線通信方式である、請求項１６に記載の携帯端末。
【請求項１８】
前記携帯端末の状態がセルハンドオーバーの場合、システムタイプ識別要素の前記値は、隣接するセルの前記システムタイプ識別要素の値であり、前記無線通信方式は、前記隣接するセルによって採用される無線通信方式である、請求項１６に記載の携帯端末。
【請求項１９】
前記隣接するセルの前記システムタイプ識別要素の値に対応する無線通信方式に対して前記携帯端末がアクセスできない場合には、セルハンドオーバーが実行されない、請求項１８に記載の携帯端末。
【請求項２０】
前記ダウンリンクは、ブロードキャストチャンネルを含んでいる、請求項１６から請求項１９のいずれか一項に記載の携帯端末。
【発明の詳細な説明】
【技術分野】
【０００１】
本発明は、マルチスタンダード無線通信システムに関し、特に、マルチスタンダード通信システムのＲＦリソース管理においてＲＦリソースを識別するための方法に関する。
【背景技術】
【０００２】
モバイル通信システムの発展に伴って、例えば第２世代（２Ｇ）の無線通信方式に属するＧＳＭ、ＩＳ−９５およびＣＤＭＡ、２Ｇ〜３Ｇの無線通信方式に属するＧＰＲＳおよびＴＳＭ、第３世代（３Ｇ）の無線通信方式に分類されるＴＤ−ＳＣＤＭＡ、Ｗ−ＣＤＭＡ、ｃｄｍａ２０００、更にはＷＬＡＮや他のポピュラーな無線通信方式等といった多数の通信規格（すなわち、無線通信方式）が登場するようになってきた。
【０００３】
ＩＴＵの規定によると、異なる無線通信方式は、異なる周波数帯域を用いてデータを送信しなければならない。しかしながら、通信サービスの急速な発達に伴って、様々な無線通信方式が現れた。すなわち、異なる無線通信方式は、同じ周波数帯域で異なる搬送波を用いてデータを送信している。一般に、ＣＷＴＳ（中国無線通信規格グループ）によって提案されたＴＳＭは、同じ周波数帯域をＴＤ−ＳＣＤＭＡと共有している。
【０００４】
ＴＤ−ＳＣＤＭＡは、ＳＣＤＭＡ（同期符号分割多元接続）技術を用いてデータを送信するＴＤＤモード無線通信方式であり、一方、ＴＳＭは、ＧＳＭ無線通信方式を有する既存のシステムからＴＤ−ＳＣＤＭＡ無線通信方式を有するシステムへと発展する無線通信方式として設計されており、ＧＳＭ／ＧＰＲＳのコアネットワークをＴＤ−ＳＣＤＭＡのＲＦ送信技術と組み合わせるとともに、実際のＴＤ−ＳＣＤＭＡサービスが始まる前に３Ｇデータサービスを提供することができる。
【０００５】
ＴＳＭは、それが当初に設計された時には、ＴＤ−ＳＣＤＭＡへとスムーズに発展する暫定的な無線通信方式としてのみ設計されているため、ＴＳＭは、データを送信するために、同じ周波数帯域をＴＤ−ＳＣＤＭＡと共有している。しかしながら、ＴＳＭの成長に伴って、ＴＤ−ＳＣＤＭＡ無線通信方式を有する通信システムが始まった後においても依然としてＴＳＭ無線通信方式を有する通信システムが使用されている可能性が非常に高い。すなわち、ＴＳＭ無線通信方式およびＴＤ−ＳＣＤＭＡ無線通信方式は、同じ周波数帯域内でデータを送信するために、おそらく長い期間にわたって我々の通信環境内に共存しなければならない。そのため、２つの無線通信方式をどのようにして区別し且つ携帯端末を対応する無線通信方式を有するモバイル通信システムに対してどのように正確にアクセスさせるかという問題が生じる。
【０００６】
ＲＦリソース共有の上記問題に対する解決策は、一定の基準にしたがってＴＳＭ無線通信方式およびＴＤ−ＳＣＤＭＡ無線通信方式に対して周波数帯域で利用可能なＲＦ搬送波を固定して割り当てることである。すなわち、幾つかのＲＦ搬送波がＴＳＭ無線通信方式に対して割り当てられ、一方、他のＲＦ搬送波がＴＤ−ＳＣＤＭＡ無線通信方式に対して割り当てられる。
【０００７】
ＲＦ搬送波を固定的に割り当てることにより、ＲＦリソース共有の問題をある程度まで解決することができるが、この固定的な設定方法が決して柔軟ではないことは明らかである。異なる無線通信方式のためにＲＦリソースを都合良く割り当てて、同じ周波数帯域内でデータを送信し、携帯端末が異なる無線通信方式を正確に識別できるようにすることは、現代の通信分野に根付く１つの問題として進行している。
【発明の開示】
【発明が解決しようとする課題】
【０００８】
本発明の１つの目的は、サービスを行なっているシステムにより使用される無線通信方式を識別でき、それにより、携帯端末をそのシステムに対して正確にアクセスさせることができるマルチスタンダード無線通信システムのためのＲＦリソース管理方法を提供することである。
【０００９】
本発明の他の目的は、携帯端末がアクセスする隣接セルによって使用される無線通信方式に携帯端末が対応していない場合には、セルハンドオーバーのオーバーヘッドを携帯端末が省くことができるマルチスタンダード無線通信システムのためのＲＦリソース管理方法を提供することである。
【００１０】
本発明の他の目的は、共存システムの各無線通信方式に対してＲＦ搬送波を柔軟に割り当てることができるマルチスタンダード無線通信システムのためのＲＦリソース管理方法を提供することである。
【課題を解決するための手段】
【００１１】
上記目的を達成するために、本発明において提案されるマルチスタンダード通信システムにおけるＲＦリソース管理方法は、
ダウンリンク情報内にシステムタイプ識別要素を加え、
異なる無線通信方式に対してＲＦリソースを割り当て、
上記ＲＦリソースが割り当てられた上記異なる無線通信方式を、上記システムタイプ識別要素の異なる値に対応させる、
ことを含んでいる。
【００１２】
上記目的を達成するため、本発明において提案される携帯端末が無線通信システムにアクセスするＲＦリソース管理方法は、
ダウンリンクを介して送信されるダウンリンク情報を受け、
上記ダウンリンク情報内のシステムタイプ識別要素の値を取得し、
上記ダウンリンク情報内に含まれるシステムタイプ識別要素の上記値および上記携帯端末の構造にしたがって、システムタイプ識別要素の上記値に対応する無線通信システムに上記携帯端末が適応しているかどうかを判断し、
システムタイプ識別要素の上記値に対応する無線通信方式に上記携帯端末が適応している場合には、その無線通信方式を有する無線通信システムにアクセスする、
ことを含んでいる。
【００１３】
上記目的を達成するために、本発明において提案される携帯電話を無線通信システムにアクセスさせるための装置は、
ダウンリンクを介して送信されるダウンリンク情報を受信する受信手段と、
上記ダウンリンク情報内のシステムタイプ識別要素の値を取得する検出手段と、
上記ダウンリンク情報内に含まれるシステムタイプ識別要素の上記値と上記携帯端末の構造とにしたがってシステムタイプ識別要素の上記値に対応する無線通信方式に、携帯端末が適応しているかどうかを判断する判断手段と、
システムタイプ識別要素の上記値に対応する無線通信方式に携帯端末が適応している場合には、その無線通信方式を有する無線通信システムにアクセスするアクセス手段と、
を備えている。
【００１４】
上記目的を実現するため、本発明において提案される携帯端末は、
アップリンクを介して無線信号を送信する送信手段と、
ダウンリンクを介して送信される無線信号を受信する受信手段と、
無線通信システムにアクセスするためのアクセス手段と、
を備え、
上記アクセス手段は、上記ダウンリンクの無線信号から上記受信手段によって受信され取得されたシステムタイプ識別要素の上記値と上記携帯端末の構造とにしたがってシステムタイプ識別要素の上記値に対応する無線通信方式に携帯端末が適応しているかどうかを判断することができるとともに、システムタイプ識別要素の上記値に対応する無線通信方式に携帯端末が適応している場合には、その無線通信方式を有する無線通信システムに対して携帯端末をアクセスさせることができる。
【発明を実施するための最良の形態】
【００１５】
以下、添付の図面に関連して更に説明する。
【００１６】
この発明は、既存のシステム情報メッセージに対してシステムフラグ要素（ＳＦＥ（System Flag Element））を加えることにより、同じ周波数帯域内でデータを送信するための様々な無線通信方式間で共有されるＲＦリソースの問題を解決する。ＳＦＥの値と無線通信方式との間の所定の対応関係にしたがって、携帯端末は、対応する無線通信方式を有する通信システムに正確にアクセスすることができる。
【００１７】
図１は携帯電話無線通信システムを示している。この場合、Ａ，Ｂ，Ｃ，Ｄ，Ｅ，Ｚは６つのセルをそれぞれ表わしている。これらの６つのセルは、セルＺが中心セルとなり且つセルＡ〜ＥがセルＺの隣接セルとなる１つの無線通信システムを構成している。図１に示される無線通信システムにおいては、セル間で、あるいは、同じセル内で、複数の無線通信方式を使用することができる。
【００１８】
図１における全てのセルは、基地局１０（すなわち、ノードＢ）と、１または多数の携帯端末２０とを備えている。図２に最も良く示されるように、各携帯端末２０がその電源ＯＮ時に現在のセルの無線通信システムにアクセスできるかどうか、あるいは、隣接するセルの無線通信システムにアクセスできるかどうかは、その構造によって決まる。すなわち、携帯端末２０は、それがＴＳＭ無線通信方式に適応している場合には、ＴＳＭ無線通信方式を有する無線通信システムにアクセスしても良く、また、携帯端末２０は、それがＴＤ−ＳＣＤＭＡ無線通信方式に適応している場合には、ＴＤ−ＳＣＤＭＡ無線通信方式を有する無線通信システムにアクセスしても良い。
【００１９】
本発明において提案されるマルチスタンダード（多規格）無線通信システムのためのＲＦリソース管理方法を示すため、ＴＳＭ無線通信方式とＴＤ−ＳＣＤＭＡ無線通信方式とが共存する通信システムの好ましい実施形態について説明する。なお、本発明のこの実施形態で説明する携帯端末２０は、本発明のＲＦリソース管理方法で提案するようにＴＳＭ無線通信方式またはＴＤ−ＳＣＤＭＡ無線通信方式を有する通信システムにアクセス可能とするべく、ＴＳＭ無線通信方式およびＴＤ−ＳＣＤＭＡ無線通信方式の両方に適応していなければならない。
【００２０】
前述したように、携帯端末は、ＴＳＭ無線通信方式とＴＤ−ＳＣＤＭＡ無線通信方式とが共存する通信環境で使用されるＲＦ周波数帯域によるだけでは、ＴＳＭ無線通信方式とＴＤ−ＳＣＤＭＡ無線通信方式とを区別することができない。これは、２つの無線通信方式が同じ周波数帯域内でデータを送信するからである。
【００２１】
この発明においては、図３に示されるように、ＲＦリソース管理プロトコルの既存のシステム情報メッセージにシステムタイプ識別要素が加えられ、また、このシステムタイプ識別要素は、既存のシステム情報メッセージに加えられる１ビットＳＦＥであっても良い。新たなシステム情報メッセージにおいて、古いシステム情報メッセージの一部は、現在のセルによって使用される無線通信方式のためのＴＹＰＥ１メッセージ（ＳＩ１と略記されている）と、隣接するセルによって使用される無線通信方式のためのＴＹＰＥ２メッセージ（ＳＩ１と略記されている）とから成っている。
【００２２】
ここで、携帯端末が電源をＯＮにして現在のセルにアクセスすると、あるいは、携帯端末がセルのハンドオーバー中に隣接するセルに切り換えると、携帯端末は、上記システム情報メッセージをＢＣＣＨにわたって得ることができる。
【００２３】
図４および図５は、複数の通信方式が共存する通信システム内で、携帯端末が現在のセルにアクセスする際またはセルのハンドオーバー中に隣接するセルに切り換える際に、システム情報メッセージ内で得られるＳＦＥによって携帯端末がＲＦリソース管理を実施する方法を示している。
【００２４】
図４に示されるように、携帯端末の電源が１つのセル内でＯＮされる（Ｓ１０）際、携帯端末は、現在のセルによって使用される無線通信方式に関する知識を有していない。携帯端末は、ローカルＢＣＣＨにアクセスすることにより上記システム情報メッセージを受け取る（Ｓ２０）。前述したように、上記システム情報メッセージは、現在のセルによって使用される無線通信方式を示すＳＩ１を含んでおり、ＳＦＥの値は、無線通信方式とＳＦＥの値との間の所定の対応関係にしたがってＳＩ１から得ることができ、その後、携帯端末は、ＳＦＥの値に対応する無線通信方式を有する通信システムにアクセスする（Ｓ３０）。
【００２５】
ＳＦＥ＝１がＴＤ−ＳＣＤＭＡ無線通信方式を有する通信システムを表わし、ＳＦＥ＝０がＴＳＭ無線通信方式を有する通信システムを表わしているとすると、携帯端末は、ＳＦＥ＝１のときにＴＤ−ＳＣＤＭＡ無線通信方式を有する通信システムにアクセスし（Ｓ４０）、また、ＳＦＥ＝０のときにＴＳＭ無線通信方式を有する通信システムにアクセスする（Ｓ５０）。
【００２６】
図５は、セルのハンドオーバープロセスにおいて隣接するセルにアクセスする携帯端末の手続きを示している。このプロセスには、ＴＳＭ無線通信方式を有する通信システムとＴＤ−ＳＣＤＭＡ無線通信方式を有する通信システムとの間でのハンドオーバーが含まれている。
【００２７】
接続状態中（Ｓ１００）、携帯端末は、ローカルＢＣＣＨにアクセスすることにより、上記システム情報メッセージを受け取る。携帯端末は、システム情報メッセージ内のＳＩ２にしたがって、隣接するセルについての全てのＳＦＥを取得し、その結果、隣接するセルによって使用される全ての無線通信方式を得る（Ｓ２００）。その後、携帯端末は、現在のセルおよび隣接するセルの信号電力レベルを収集することにより、セルのハンドオーバーが必要かどうかを決定する（Ｓ３００）。携帯端末が隣接するセルへのセルハンドオーバーを行なわなければならない場合、携帯端末は、その構造にしたがって、即ちそれが適応するどの無線通信方式にしたがって、ターゲットとなる隣接セルにアクセスできるかどうかを判断する（Ｓ４００）。携帯端末がターゲットとなる隣接セルにアクセスできる場合、携帯端末は、ＳＦＥの値にしたがって、対応する無線通信方式を有する通信システムに切り換える（Ｓ６００）。すなわち、ＳＦＥが１に等しい場合には、携帯端末はＴＤ−ＳＣＤＭＡ無線通信方式を有する通信システムに切り換え（Ｓ７００）、また、ＳＦＥが０に等しい場合には、携帯端末はＴＳＭ無線通信方式を有する通信システムに切り換える（Ｓ８００）。しかしながら、ターゲットとなる隣接セルによって使用される無線通信方式に携帯端末が適応していない場合には、セルのハンドオーバーが行なわれない（Ｓ５００）。
【００２８】
前述したように、セルのハンドオーバー中においては、ターゲットとなる隣接セルによって使用される無線通信方式に携帯端末が適応しているかどうかを決定し、その後、関連する決定を行なうために、ＳＦＥの値が必要とされる。したがって、ターゲットとなる隣接セルによって使用される無線通信方式に携帯端末が適応していない場合には、セルハンドオーバー処理を実行することにより生じるオーバーヘッドを省くことができる。
【００２９】
上記携帯端末２０は、その電源ＯＮ時に、または、セルハンドオーバー状態時に、ＳＦＥの値にしたがって、ＴＳＭ無線通信方式を有する通信システムまたはＴＤ−ＳＣＤＭＡ無線通信方式を有する通信システムにアクセスすることを決定する。アクセス処理は、ソフトウェアまたはハードウェアを用いて実施することができる。
【００３０】
図４および図５はソフトウェアを用いて実施される方法を示している。ハードウェアを用いて実施する場合、無線通信方式にアクセスするための装置を携帯端末２０に加える必要がある。この装置は、図６に示されるように、ダウンリンクを介して送信されるダウンリンク情報を受信する受信手段１００と、上記ダウンリンク情報内のシステムタイプ識別要素の値を取得する検出手段２００と、ダウンリンク情報内に含まれるシステムタイプ識別要素の上記値と携帯端末の状態およびその構造とにしたがってシステムタイプ識別要素の上記値に対応する無線通信方式に携帯端末が適応しているかどうかを判断する判断手段３００と、システムタイプ識別要素の上記値に対応する無線通信方式に携帯端末が適応している場合にその無線通信方式を有する無線通信システムにアクセスするアクセス手段４００とから成る。
【００３１】
また、ＴＤ−ＳＣＤＭＡはＴＤＤモードに基づいている。すなわち、アップリンクおよびダウンリンクは同じＲＦ搬送波を共有するため、前述した実施形態では、ＴＳＭ通信方式を有する通信システムおよびＴＤ−ＳＣＤＭＡ通信方式を有する通信システムのそれぞれにおいて、幾つかの異なる対になっていないＲＦ搬送波を使用することができ、また、トラフィック負荷に照らして、異なる無線通信方式に対応するＳＦＥの値をＯＡ＆Ｍ（オペレーション、支援およびメンテナンス）ソフトウェアにより設定することができ、それにより、多数の規格（マルチスタンダード）が共存するシステムにおいてＲＦリソースを柔軟に且つ動的に割り当てることができる。
【００３２】
一方、ＴＳＭおよびＴＤ−ＳＣＤＭＡの２つの無線通信方式を表わすために１ビットＳＦＥが使用されることを明確にする必要がある。同じ周波数帯域内に更に多くの異なる無線通信方式が存在する場合には、複数の無線通信方式を表わすためにマルチビットＳＦＥを使用することができる。トラフィック負荷を考慮してＯＡ＆Ｍソフトウェアにより上記ＳＦＥの値を設定することもできる。
【００３３】
前述したように、本発明において提供されるマルチスタンダード無線通信システムのためのＲＦリソース管理方法は、以下のように要約することができる。
【００３４】
先ず最初に、無線通信方式に対してＲＦリソースを割り当てる。すなわち、異なる無線通信方式に対して異なる帯域でＲＦリソースを割り当て、あるいは、異なる無線通信方式に対して同じ帯域内で異なるＲＦ搬送波を割り当てる。
【００３５】
その後、ダウンリンクを介して送信されたシステム情報に対して、無線通信方式に対応するシステムタイプ識別要素を加える。すなわち、明確なＲＦリソースまたはＲＦ搬送波を伴う全ての無線通信方式は、システム識別要素の明確な値に対応している。
【００３６】
これにより、携帯端末は、ダウンリンクを介して上記システムタイプ識別要素を得るとともに、対応する無線通信方式を有する無線通信システムにアクセスできるかどうかを決定する。
【００３７】
本発明によって与えられる前述した実施形態は、同じ帯域内でＴＤ−ＳＣＤＭＡ無線通信方式とＴＳＭ無線通信方式との間でＲＦ搬送波を割り当てる一例について説明している。２つの無線通信方式と同じ帯域内のＲＦ搬送波との間の対応関係、および、２つの無線通信方式とＳＦＥの値との間の対応関係にしたがって、携帯端末は、ＳＦＥの値により、ＴＳＭ無線通信方式またはＴＤ−ＳＣＤＭＡ無線通信方式を有する通信システムにアクセスすることができる。
【００３８】
また、異なる無線通信方式に対して異なる帯域でＲＦリソースを割り当てる際にも同じ手法が当てはまる。異なる無線通信方式と異なる帯域で割り当てられたＲＦリソースとの間の対応関係、および、異なる無線通信方式とＳＦＥの値との間の対応関係にしたがって、携帯端末は、対応する無線通信方式を有するモバイル通信システムにアクセスすることができる。
【００３９】
この発明において、フラグ信号としてのＳＦＥは、ＲＦリソース管理プロトコルのシステム情報メッセージに加えられるため、機能中の無線通信方式をＳＦＥの値にしたがって識別することができる。したがって、上記無線通信方式に適応する携帯端末は、対応する通信システムにアクセスすることができる。
【００４０】
また、セルのハンドオーバー中、ターゲットとなる隣接セルにより使用される無線通信方式に携帯端末が適応しているかどうかを決定するステップがＳＦＥの値にしたがって加えられる。したがって、ターゲットとなる隣接セルにより使用される無線通信方式に携帯端末が適応していない場合には、セルのハンドオーバー処理を実行することにより生じるオーバーヘッドを省くことができる。
【００４１】
一方、この発明では、ＳＦＥの値と異なる無線通信方式との間の対応関係を、ソフトウェアを用いて設定することにより、複数の規格が共存するシステムにおいてＲＦリソースを柔軟に割り当てることができる。
【００４２】
無論、当業者であれば分かるように、この発明で提案されるマルチスタンダード無線通信システムのためのＲＦリソース管理方法は、ＴＳＭ無線通信方式またはＴＤ−ＳＣＤＭＡ無線通信方式を有する通信システムに限定されなくても良く、他の複数の無線通信方式を有する通信システムにおいて適用されても良い。
【００４３】
好ましい実施形態に関して本発明を示して説明してきたが、当業者であれば分かるように、本発明の範囲から逸脱することなく様々な変更や改良を行なうことができる。したがって、保護されるべき本発明の範囲は、請求項によって決定する必要がある。
【図面の簡単な説明】
【００４４】
【図１】携帯電話通信システムの構造を示している。
【図２】図１の携帯電話通信システムにおける各セルの構造を示している。
【図３】新しいシステム情報メッセージの構造を示している。
【図４】携帯端末アクセスシステムのフローチャートである。
【図５】携帯端末のセルハンドオーバー処理のフローチャートである。
【図６】無線通信システムにアクセスするための装置のブロック図である。
【図１】
2006512827.tif 000003
【図２】
2006512827.tif 000004
【図３】
2006512827.tif 000005
【図４】
2006512827.tif 000006
【図５】
2006512827.tif 000007
【図６】
2006512827.tif 000008
【国際調査報告】
2006512827.tif 000009
2006512827.tif 000010
2006512827.tif 000011
2006512827.tif 000012